(57)【要約】【課題】ユーザーの利便性を高めることができる画像読取装置、及び画像形成装置を提供する。【解決手段】画像読取装置２は、原稿台２１と、開閉部２２と、原稿検知部２３と、開閉検知部２４と、人体検知部２５と、原稿判定部８１とを備える。原稿台２１には、原稿が載置される。開閉部２２は、原稿台２１に対して開閉自在である。原稿検知部２３は、原稿台２１に載置された原稿のサイズを示す信号を出力する。開閉検知部２４は、開閉部２２の開閉を示す信号を出力する。人体検知部２５は、原稿台２１に設けられて、人体の有無を示す信号を出力する。原稿判定部８１は、原稿のサイズを示す信号に基づいて、原稿のサイズ判定を行う。原稿判定部８１は、開閉部２２の開閉を示す信号、及び人体の有無を示す信号に基づいて、サイズ判定を開始する。【選択図】図２
2018014589.tif 000002
【特許請求の範囲】
【請求項１】
原稿が載置される原稿台と、
前記原稿台に対して開閉自在な開閉部と、
前記原稿台に載置された前記原稿のサイズを示す信号を出力する原稿検知部と、
前記開閉部の開閉を示す信号を出力する開閉検知部と、
前記原稿台に設けられて、人体の有無を示す信号を出力する人体検知部と、
前記原稿のサイズを示す信号に基づいて、前記原稿のサイズ判定を行う原稿判定部と
を備え、
前記原稿判定部は、前記開閉部の開閉を示す信号、及び前記人体の有無を示す信号に基づいて、前記サイズ判定を開始する、画像読取装置。
【請求項２】
前記原稿検知部は、原稿台を介して光を受光する受光部を有し、
前記原稿のサイズを示す信号は、前記受光部で受光された前記光の光量を示す信号を含み、
前記開閉部の開閉を示す信号は、前記原稿台と前記開閉部とのなす角度が規定値未満であるときに閉状態を示し、
前記原稿判定部は、前記開閉部の開閉を示す信号が開状態を示し、かつ、前記人体の有無を示す信号が有状態を示す場合に、開閉部が開状態から閉状態に遷移された際に、前記光量を示す信号と第１閾値とに基づいて、前記原稿台の明部、及び暗部の領域を特定して、前記原稿のサイズを判定する、請求項１に記載の画像読取装置。
【請求項３】
エラーメッセージを外部に通知する通知部と、
前記開閉部の開閉を示す信号、及び前記人体の有無を示す信号に基づいて、前記通知部を制御する通知制御部と
を更に備え、
前記開閉部の開閉を示す信号は、前記原稿台と前記開閉部とのなす角度が規定値未満であるときに閉状態を示し、
前記通知制御部は、人体の無状態が検知される間に、開閉部の開状態が検知され、開閉部が開状態から閉状態に遷移されると、前記通知部を制御して、前記エラーメッセージを外部に通知させる、請求項１、又は請求項２に記載の画像読取装置。
【請求項４】
前記原稿判定部は、開閉部の閉状態が検知される間に、人体の有状態が検知され、人体の無状態が検知されると、前記第１閾値を前記第１閾値よりも大きい第２閾値、又は前記第１閾値よりも小さい第３閾値を参照して、前記サイズ判定を実行する、請求項２、又は請求項３に記載の画像読取装置。
【請求項５】
前記原稿検知部は、前記原稿台を介して前記原稿台の上方へ前記光を出射する光源部を更に有し、
前記受光部は、前記光源部から出射された前記光が前記原稿によって反射された反射光を受光し、
前記原稿判定部は、前記サイズ判定を実行する際に、前記第２閾値を参照する、請求項４に記載の画像読取装置。
【請求項６】
前記原稿検知部は、前記原稿台を介して前記原稿台の上方へ前記光を出射する光源部を更に有し、
前記受光部は、前記光源部が消灯した状態において、前記原稿台の外部から入射する前記光を受光し、
前記原稿判定部は、前記サイズ判定を実行する際に、前記第３閾値を参照する、請求項４に記載の画像読取装置。
【請求項７】
前記通知制御部は、前記開閉部の開閉を示す信号が閉状態を示す際に、前記人体の有無を示す信号が有状態を示した後に無状態を示すと、前記通知部を制御して、前記エラーメッセージを外部に通知させる、請求項３に記載の画像読取装置。
【請求項８】
前記人体検知部は、前記原稿台の縁部に配置される、請求項１から請求項７のいずれか１項に記載の画像読取装置。
【請求項９】
前記人体検知部は、磁界検知式、又は誘電率検知式のセンサーを有する、請求項１から請求項８のいずれか１項に記載の画像読取装置。
【請求項１０】
請求項１から請求項９のいずれか１項に記載の画像読取装置と、
画像形成部と
を備え、
前記画像読取装置は、原稿から画像を読み取って画像データを生成し、
前記画像形成部は、前記画像データに基づいて、記録媒体に画像を形成する、画像形成装置。
【発明の詳細な説明】
【技術分野】
【０００１】
本発明は、画像読取装置、及び画像形成装置に関する。
【背景技術】
【０００２】
特許文献１に記載の画像読取装置は、原稿台と、原稿押さえと、光照射部と、走査駆動部と、撮像ユニットと、開閉検知装置と、読取制御部とを備える。原稿台には、原稿が載置される。原稿押さえは、原稿台に対して開閉自在である。開閉検知装置は、原稿押さえが原稿台に対して、例えば３０度の角度に開閉された際に、原稿押さえの開閉を検知する。読取制御部は、原稿押さえが開状態から閉状態にされたことを検知すると、光照射部、走査駆動部、及び撮像ユニットの動作を制御して、原稿台に載置された原稿の原稿サイズを判定する。
【先行技術文献】
【特許文献】
【０００３】
【特許文献１】特開２０１５−８４６５号公報
【発明の概要】
【発明が解決しようとする課題】
【０００４】
しかしながら、ユーザーによっては、原稿台に原稿を載置する際に、原稿押さえを十分に開かない場合がある。特許文献１に記載の画像読取装置では、原稿押さえが３０度未満の角度で開かれた状態で原稿台に原稿が載置されても、原稿のサイズの判定処理を実行しない。したがって、ユーザーは、例えば、原稿のサイズを入力する必要があった。
【０００５】
本発明は上記課題に鑑みてなされたものであり、その目的は、ユーザーの利便性を高めることができる画像読取装置、及び画像形成装置を提供することにある。
【課題を解決するための手段】
【０００６】
本発明に係る画像読取装置は、原稿台と、開閉部と、原稿検知部と、開閉検知部と、人体検知部と、原稿判定部とを備える。前記原稿台には、原稿が載置される。前記開閉部は、前記原稿台に対して開閉自在である。前記原稿検知部は、前記原稿台に載置された前記原稿のサイズを示す信号を出力する。前記開閉検知部は、前記原稿台に設けられて、前記開閉部の開閉を示す信号を出力する。前記人体検知部は、前記原稿台に設けられて、人体の有無を示す信号を出力する。前記原稿判定部は、前記原稿のサイズを示す信号、前記開閉部の開閉を示す信号、及び前記人体の有無を示す信号に基づいて、前記原稿のサイズを判定する。
【０００７】
本発明に係る画像形成装置は、上記画像読取装置と、画像形成部とを備える。前記画像読取装置は、原稿から画像を読み取って画像データを生成する。前記画像形成部は、前記画像データに基づいて、記録媒体に画像を形成する。
【発明の効果】
【０００８】
本発明の画像読取装置、及び画像形成装置によれば、ユーザーの利便性を高めることができる。
【図面の簡単な説明】
【０００９】
【図１】本発明の実施形態に係る画像形成装置の構成を示す図である。
【図２】画像形成装置の画像読取装置の近傍を示す拡大斜視図である。
【図３】画像読取装置を模式的に示す正面図である。
【図４】原稿台を模式的に示す平面図である。
【図５】画像読取装置を模式的に示す側面図である。
【図６】画像読取装置を模式的に示す側面図である。
【図７】画像形成装置の構成を示すブロック図である。
【発明を実施するための形態】
【００１０】
以下、図面を参照して本発明の実施形態を説明する。ただし、本発明は以下の実施形態に限定されない。なお、図中、同一、又は相当部分については、同一の参照符号を付して説明を繰り返さない。
【００１１】
図１から図７を参照して、本発明の実施形態に係る画像形成装置１について説明する。図１は、本発明の実施形態に係る画像形成装置１の構成を示す図である。
【００１２】
図１に示すように、本実施形態の画像形成装置１は、複合機である。なお、画像形成装置１は、コピー、プリンター、又はファクシミリであってもよい。複合機は、例えば、コピー機能、プリンター機能、及びファクシミリ機能のうち少なくとも２つの機能を有する。
【００１３】
画像形成装置１は、用紙Ｓに画像を形成する。用紙Ｓは、本発明の記録媒体の一例である。用紙Ｓは、例えば、普通紙、コピー紙、再生紙、薄紙、厚紙、光沢紙、又はＯＨＰ（Ｏｖｅｒｈｅａｄ  Ｐｒｏｊｅｃｔｏｒ）用紙である。
【００１４】
画像形成装置１は、筐体１ａと、画像読取装置２と、画像形成部３と、定着部４と、収納部５と、排出トレイ６と、操作パネル７と、制御部８と、記憶部９とを備える。用紙Ｓは、用紙搬送経路に沿って収納部５から排出トレイ６まで搬送される。
【００１５】
図１において、操作パネル７が向く方向を前方とし、前後方向を規定する。また、画像形成装置１の正面に向かって左手側を左方とし、左右方向を規定する。また、前後方向、及び左右方向と直交する方向を上下方向と規定する。
【００１６】
筐体１ａは、矩形状であり、箱体に形成される。筐体１ａは、画像形成部３と、定着部４と、収納部５と、制御部８と、記憶部９とを収容する。また、筐体１ａは、左側の上面部と、右側の上面部とを有する。右側の上面部は、左側の上面部よりも上下方向の位置が低い。左側の上面部は、画像読取装置２の下面部に接触して画像読取装置２を支持する。
【００１７】
収納部５は、複数のカセット５１を有する。カセット５１は、画像形成装置１の下部に配置される。各カセット５１は、筐体１ａから着脱可能である。また、各カセット５１は、複数の用紙Ｓを収容可能である。なお、収納部５は、手差しトレイを更に有する態様であってもよい。
【００１８】
画像形成部３は、用紙搬送経路において、収納部５よりも下流側に配置される。画像形成部３は、用紙Ｓにトナー画像を形成する。画像形成部３は、感光体ドラム３３と、帯電部３４と、露光部３５と、現像部３６と、転写部３７とを有する。感光体ドラム３３は、回転可能に配置される。感光体ドラム３３は、例えば、導電性基体と、感光層とを有して構成される。導電性基体は、導電性を有しており、筒状に形成される。感光層は、導電性基体の外周面上に形成される。
【００１９】
帯電部３４は、感光体ドラム３３を所定電位に帯電する。露光部３５は、帯電された感光体ドラム３３の外周面に、レーザーを照射して静電潜像を形成する。静電潜像は、画像読取装置２によって生成される画像データに基づいて形成される。
【００２０】
現像部３６は、静電潜像をトナー画像として現像する。この結果、感光体ドラム３３の外周面には、トナー画像が形成される。転写部３７は、用紙Ｓにトナー画像を転写する。転写部３７は、感光体ドラム３３と共にニップ部を形成する転写ローラーを含む。転写ローラーは、感光体ドラム３３との間を通過する用紙Ｓにトナー画像を転写させる。
【００２１】
定着部４は、用紙搬送経路において、画像形成部３よりも下流側に配置される。定着部４は、加熱部材４３と、加圧部材４４とを有する。加熱部材４３、及び加圧部材４４は、トナー画像が転写された用紙Ｓを加熱、及び加圧して、用紙Ｓにトナー画像を定着させる。なお、加熱部材４３は、例えば、ローラー、又はベルトのような無端回動体を有して構成される。また、加圧部材４４は、例えば、ローラーのような無端回動体を有して構成される。排出トレイ６には、トナー画像が定着された用紙Ｓが積載される。
【００２２】
図２は、画像形成装置１の画像読取装置２の近傍を示す拡大斜視図である。図２に示すように、操作パネル７は、表示部７１と入力部７２とを有する。入力部７２は、ハードキーを含む。入力部７２は、ユーザーの操作に応じた操作信号を制御部８に出力する。ユーザーの操作は、例えば、画像形成装置１の各種設定を行う操作を含む。
【００２３】
表示部７１は、ディスプレーから構成される。ディスプレーは、タッチパネル機能を有するＬＣＤ（Ｌｉｑｕｉｄ  Ｃｒｙｓｔａｌ  Ｄｉｓｐｌａｙ）、又は有機ＥＬＤ（Ｅｌｅｃｔｒｏ  Ｌｕｍｉｎｅｓｃｅｎｃｅ  Ｄｉｓｐｌａｙ）を含む。表示部７１は、画像形成装置１の各種の設定画面を表示する。また、本実施形態の表示部７１は、エラーメッセージを外部に通知する通知部として機能する。表示部７１は、「原稿のサイズ判定ができない」、又は「原稿が載置されていない」等のエラーメッセージを表示する。
【００２４】
画像読取装置２は、原稿台２１と、開閉部２２と、原稿読取部２３と、開閉検知部２４と、人体検知部２５とを備える。画像読取装置２は、原稿台２１に載置された原稿から画像を読み取って画像データを生成する。
【００２５】
原稿台２１は、画像読取装置２の上面部に配される。原稿台２１は、コンタクトガラス２１ａと、縁部２１ｂとを有する。コンタクトガラス２１ａは、透明な板状のガラスを有して構成される。縁部２１ｂは、コンタクトガラス２１ａの周囲に形成される。コンタクトガラス２１ａには、原稿が載置される。原稿の読取面は、原稿がコンタクトガラス２１ａに載置された際に、コンタクトガラス２１ａの上面に接する。なお、原稿は、コンタクトガラス２１ａの左側後端部に設けられた基準点を基準として、原稿台２１に載置されることが望ましい。
【００２６】
開閉部２２は、板状に形成される。開閉部２２は、原稿台２１に対して開閉自在である。詳しくは、開閉部２２は、回転軸心を介して原稿台２１に取り付けられる。開閉部２２は、回転軸心によって、原稿台２１に回動可能に支持される。回転軸心は、開閉部２２の後端部に設けられる。したがって、開閉部２２は、後端部を中心として上下方向に開閉自在である。開閉部２２の下側を向く主面は、原稿台２１の上面の全域と対向する。
【００２７】
図３は、画像読取装置２を模式的に示す正面図である。図３に示す画像読取装置２の一部は、断面によって示される。図３に示すように、開閉部２２は、接触部２２ａを更に有する。接触部２２ａは、板状に形成される。接触部２２ａは、開閉部２２の前側を向く主面に配される。接触部２２ａの前側を向く主面は、開閉部２２が閉状態の際に、コンタクトガラス２１ａの全域を均一に押圧する。この結果、原稿台２１に載置された原稿の移動が抑制される。また、接触部２２ａの前側を向く主面は、白色に形成される。
【００２８】
原稿読取部２３は、光源部２３ａと、受光部２３ｂと、第１移動部２３ｃと、第２移動部２３ｄと、第１ミラー２３ｅと、第２ミラー２３ｆと、第３ミラー２３ｇとを有する。光源部２３ａは、原稿台２１の下方に配される。光源部２３ａは、コンタクトガラス２１ａを介してコンタクトガラス２１ａの上方へ光を出射する。
【００２９】
第１移動部２３ｃは、光源部２３ａと、第１ミラー２３ｅとを支持する。第１ミラー２３ｅは、光源部２３ａから出射された光が原稿によって反射された反射光を受光する。第１ミラー２３ｅには、所定の傾きが設定されている。第１ミラー２３ｅは、受光した反射光を水平方向に沿って左方へと方向転換させる。第１移動部２３ｃは、例えば、電動機からの駆動力によって移動可能である。第１移動部２３ｃは、画像読取装置２の内部に設けられた案内部に沿って左右方向に移動可能である。第１移動部２３ｃは、待機位置からコンタクトガラス２１ａの右側端部までコンタクトガラス２１ａの全域に亘って移動可能である。待機位置は、左側の縁部２１ｂの下方に設定される。
【００３０】
第２移動部２３ｄは、第２ミラー２３ｆと、第３ミラー２３ｇとを支持する。第２ミラー２３ｆは、第１ミラー２３ｅによって方向転換された反射光を受光する。第２ミラー２３ｆには、所定の傾きが設定されている。第２ミラー２３ｆは、受光した反射光を上下方向に沿って下方へと方向転換させる。第３ミラー２３ｇは、第２ミラー２３ｆによって方向転換された反射光を受光する。第３ミラー２３ｇには、所定の傾きが設定されている。第３ミラー２３ｇは、受光した反射光を水平方向に沿って右方へと方向転換させる。第２移動部２３ｄは、例えば、電動機からの駆動力によって移動可能である。第２移動部２３ｄは、画像読取装置２の内部に設けられた案内部に沿って左右方向に移動可能である。
【００３１】
受光部２３ｂは、画像読取装置２の底部に配される。受光部２３ｂは、レンズと、撮像部とを有して構成される。撮像部は、ＣＣＤのような撮像素子を有する。撮像素子は、第３ミラー２３ｇによって方向転換された反射光をレンズを介して受光する。
【００３２】
図４は、原稿台２１を模式的に示す平面図である。図４に示すように、光源部２３ａは、複数の発光素子を有して構成される。複数の発光素子は、前後方向に沿って並設される。また、第１ミラー２３ｅ〜第３ミラー２３ｇは、前後方向にのびる板状に形成される。受光部２３ｂのレンズは、前後方向にのびる形状に形成される。また、受光部２３ｂの撮像部は、複数の撮像素子を有する。複数の撮像素子は、前後方向に沿って並設される。
【００３３】
原稿読取部２３では、第１移動部２３ｃを待機位置から右方へと移動して、コンタクトガラス２１ａに載置された原稿の画像を読み取る。原稿を読み取る際には、第２移動部２３ｄは、第１移動部２３ｃに連動して右方へと移動する。光源部２３ａは、原稿の画像を読み取る際に、光を出射する。受光部２３ｂは、原稿の画像を読み取る際に、第１ミラー２３ｅ〜第３ミラー２３ｇを介して、原稿の画像を撮像する。原稿読取部２３は、撮像した画像に基づいて画像データを生成して制御部８に出力する。
【００３４】
また、原稿読取部２３では、原稿のサイズを判定する際に、第１移動部２３ｃが待機位置からコンタクトガラス２１ａの左側の端部へと移動した後に、コンタクトガラス２１ａに載置された原稿が撮像される。光源部２３ａは、第１移動部２３ｃが移動した後に、光を出射する。受光部２３ｂは、第１ミラー２３ｅ〜第３ミラー２３ｇを介して、原稿によって反射された反射光を受光する。この結果、反射光の光量を示す信号が制御部８に出力される。反射光の光量を示す信号は、原稿の前後方向のサイズを示す。
【００３５】
また、本実施形態の原稿読取部２３は、複数の原稿検知部２３ｈを更に有する。原稿検知部２３ｈは、光センサーのような非接触式センサーから構成される。複数の原稿検知部２３ｈは、コンタクトガラス２１ａの後端部の下方に配される。複数の原稿検知部２３ｈは、所定の間隔で左右方向に沿って並設される。ここで、所定の間隔は、Ａ３、又はＡ４のような原稿サイズに基づいて設定されることが望ましい。原稿検知部２３ｈは、コンタクトガラス２１ａを介して上方に光を出射する。また、原稿検知部２３ｈは、出射した光がコンタクトガラス２１ａに載置された原稿によって反射された反射光を受光する。したがって、原稿検知部２３ｈは、原稿検知部２３ｈの直上に位置する原稿を検知できる。この結果、反射光の光量を示す信号が制御部８に出力される。反射光の光量を示す信号は、原稿の左右方向のサイズを示す。
【００３６】
人体検知部２５は、人体を検知すると制御部８に人体の有無を示す信号を出力する。人体検知部２５は、原稿台２１の前側の縁部２１ｂに沿って埋設される。人体検知部２５は、原稿台２１の上面、又は上方に配された手（人体）を検知する。
【００３７】
人体検知部２５は、例えば、磁界検知式、又は誘電率検知式のセンサーを有して構成される。磁界検知式、又は誘電率検知式のセンサーは、コイルと、検知回路とを有する。コイルは、上方から見て渦状に形成される。コイルは、原稿台２１の前側の縁部２１ｂの左右方向の全域に亘って配される。コイルは、原稿台２１の前側の縁部２１ｂに沿った形状に容易に形成できる。検知回路は、例えば、コイルにより発生された交流磁界のインピーダンスの変化を検知する。この場合、人体の有無を示す信号は、インピーダンスの変化を示す。
【００３８】
図５は、画像読取装置２を模式的に示す側面図である。図５に示す画像読取装置２の一部は、断面によって示される。また、図５に示す開閉部２２は、開状態である。図５に示すように、開閉検知部２４は、原稿台２１の後側の縁部２１ｂに設けられている。開閉検知部２４は、開閉部２２の開閉を示す信号を制御部８に出力する。開閉検知部２４は、可動部材２４ａと、弾性体２４ｂと、固定部材２４ｃと、光センサー２４ｄとを有する。
【００３９】
可動部材２４ａは、棒状に形成されている。可動部材２４ａは、上下方向へと移動可能に配されている。可動部材２４ａは、接触端部と、遮断部とを有する。接触端部は、可動部材２４ａの上端部に形成される。接触端部は、開閉部２２の後端部と接触する。遮断部は、可動部材２４ａの下端部に形成される。遮断部は、後側に向かって突出して形成される。
【００４０】
弾性体２４ｂは、可動部材２４ａの下方に配されている。弾性体２４ｂは、ゴムや圧縮バネのような弾性部材を有して構成される。弾性体２４ｂは、可動部材２４ａを上方に付勢する。固定部材２４ｃは、光センサー２４ｄの上方に配されている。固定部材２４ｃは、弾性体２４ｂによって上方に付勢される可動部材２４ａの上限位置を規定する。詳しくは、可動部材２４ａの遮断部が固定部材２４ｃに当接することによって、可動部材２４ａの上限位置を規定する。
【００４１】
光センサー２４ｄは、例えば、発光部と受光部とを有する透過型光センサーである。発光部が射出する光は、受光部で受光される。発光部が射出する光の光路は、開閉部２２が閉状態にあって可動部材２４ａが下方に位置する際に、可動部材２４ａの遮断部によって遮断される。光センサー２４ｄの出力は、発光部が射出する光を受光部が受光しなくなった際に、開閉部２２が閉状態であることを示す。光センサー２４ｄの出力は、制御部８に出力される、発光部が射出する光は、開閉部２２が開状態にあって可動部材２４ａが上方に位置する際に、受光部で受光される。光センサー２４ｄは、発光部から射出される光を受光部が受光した際に、開閉部２２が開状態であることを示す。
【００４２】
図６は、画像読取装置２を模式的に示す側面図である。図６に示す画像読取装置２の一部は、断面によって示される。また、図６に示す開閉部２２は、閉状態である。図６に示すように、開閉検知部２４の出力（光センサー２４ｄの出力）は、原稿台２１と開閉部２２とのなす角度αが規定値未満であるときに、開閉部２２が閉状態であることを示す。逆に、開閉検知部２４の出力は、原稿台２１と開閉部２２とのなす角度αが規定値以上であるときに、開閉部２２が開状態であることを示す。角度αの規定値は、例えば、３０度に設定される。
【００４３】
図７は、画像形成装置１の構成を示すブロック図である。図７に示すように、制御部８は、記憶部９に記憶されたコンピュータープログラムを実行することにより、原稿判定部８１、及び通知制御部８２として機能する。なお、制御部８は、例えば、ＣＰＵ（Ｃｅｎｔｒａｌ  Ｐｒｏｃｅｓｓｉｎｇ  Ｕｎｉｔ）から構成される。
【００４４】
原稿判定部８１は、原稿読取部２３から入力される原稿のサイズを示す信号に基づいて、原稿のサイズ判定を行う。原稿のサイズを示す信号は、原稿の前後方向のサイズを示す信号、及び原稿の左右方向のサイズを示す信号を含む。原稿判定部８１は、開閉部２２の開閉を示す信号、及び人体の有無を示す信号に基づいて、原稿のサイズ判定を開始する。通知制御部８２は、表示部７１を制御して、各種のメッセージを表示させる。
【００４５】
続いて、原稿判定部８１によるサイズ判定の方法について詳しく説明する。原稿判定部８１は、原稿読取部２３を制御して、原稿のサイズ判定を行う。原稿判定部８１は、第１移動部２３ｃを待機位置からコンタクトガラス２１ａの左側の端部に移動させる。原稿判定部８１は、第１移動部２３ｃを移動させた後に、光源部２３ａから光を射出させる。この結果、原稿判定部８１には、原稿の前後方向のサイズを示す信号が入力される。
【００４６】
次に、原稿判定部８１は、原稿の前後方向のサイズを示す信号と記憶部９に記憶される第１閾値とを比較する。原稿判定部８１は、各撮像素子によって受光された光量と第１閾値とを比較して、コンタクトガラス２１ａの前後方向の明部、及び暗部の領域を特定する。この結果、コンタクトガラス２１ａに載置された原稿の前後方向のサイズが判定される。
【００４７】
また、原稿判定部８１は、複数の原稿検知部２３ｈを作動させる。この結果、原稿判定部８１には、原稿検知部２３ｈから原稿の左右方向のサイズを示す信号が入力される。
【００４８】
次に、原稿判定部８１は、原稿の左右方向のサイズを示す信号と記憶部９に記憶される第１閾値とを比較する。原稿判定部８１は、各原稿検知部２３ｈによって受光された光量と第１閾値とを比較して、コンタクトガラス２１ａの左右方向の明部、及び暗部の領域を特定する。この結果、コンタクトガラス２１ａに載置された原稿の左右方向のサイズが判定される。
【００４９】
原稿判定部８１は、コンタクトガラス２１ａに載置された原稿の前後方向のサイズ、及び左右方向のサイズを判定した後に、前後方向のサイズ、及び左右方向のサイズから、原稿のサイズを判定する。本実施形態の画像形成装置１では、判定された原稿のサイズに基づいて、画像が形成される用紙Ｓのサイズが自動選択される。なお、原稿判定部８１は、判定した原稿のサイズを通知制御部８２に出力する態様であってもよい。この態様では、通知制御部８２は、表示部７１を制御して、原稿のサイズを示す画面を表示させる。
【００５０】
続いて、原稿判定部８１がサイズ判定を開始するタイミングと、サイズ判定開始時の原稿判定部８１の動作とについて詳しく説明する。原稿判定部８１は、開閉検知部２４によって開閉部２２の開状態が検知され、かつ、人体検知部２５によって人体の有状態が検知された場合に、開閉部２２が開状態から閉状態に遷移された際に、サイズ判定を開始する。原稿判定部８１は、記憶部９に記憶された第１閾値に基づいてサイズ判定を行う。
【００５１】
具体的には、原稿判定部８１は、開閉部２２の開状態が検知された後に、人体の有状態が検知された場合に、開閉部２２が開状態から閉状態に遷移された際に、サイズ判定を開始する。また、原稿判定部８１は、人体の有状態が検知された後に、開閉部２２の開状態が検知された場合も同様に、開閉部２２が開状態から閉状態に遷移された際に、サイズ判定を開始する。
【００５２】
また、原稿判定部８１は、人体の無状態が検知される間に、開閉部２２の開状態が検知され、開閉部２２が開状態から閉状態に遷移されると、サイズ判定を開始する。このとき、原稿判定部８１は、原稿のサイズ判定を開始しない態様であってもよい。この態様では、通知制御部８２は、表示部７１を制御して、「原稿台２１に原稿が載置されていません」等のエラーメッセージを表示させる。
【００５３】
一方、原稿判定部８１は、開閉部２２の閉状態が検知される間に、人体の有状態が検知され、人体の無状態が検知されると、サイズ判定を開始する。この際、原稿判定部８１は、第１閾値に換えて、記憶部９に記憶された第２閾値を参照してサイズ判定を行う。第２閾値は、第１閾値よりも大きい。
【００５４】
ユーザーによっては、例えば、開閉部２２を３０度未満の角度で開いて、コンタクトガラス２１ａに原稿を載置する場合がある。この場合には、光源部２３ａから出射された光が、原稿だけではなく、開閉部２２の接触部２２ａによっても多量に反射される。したがって、原稿読取部２３の出力と第１閾値との比較では、原稿の無い箇所も明部と判定され、原稿のサイズを誤検知するおそれがある。本実施形態の画像形成装置１では、開閉部２２が３０度未満の角度で開かれた場合、第２閾値を参照して原稿のサイズ判定を実行する。したがって、開閉部２２が３０度未満の角度で開かれて原稿が載置された場合であっても、原稿のサイズを判定できる。この結果、ユーザーの利便性を高めることができる。
【００５５】
以上、図１から図７を参照して、本発明の実施形態に係る画像読取装置２、及び画像形成装置１について説明した。但し、本発明は、上記の実施形態に限られるものではなく、その要旨を逸脱しない範囲で種々の態様において実施することが可能である。
【００５６】
例えば、本発明の実施形態では、原稿読取部２３の光源部２３ａと、原稿検知部２３ｈとを用いて原稿のサイズ判定を行っていたが、本発明はこれに限定されない。例えば、コンタクトガラス２１ａの外部から入射する光を用いて原稿のサイズ判定をする態様であってもよい。この態様では、原稿判定部８１は、開閉部２２の閉状態が検知される間に、人体の有状態が検知され、人体の無状態が検知されると、サイズ判定を開始する。受光部は、サイズ判定の際に、光源部が消灯した状態において、コンタクトガラス２１ａの外部から入射する光を受光する。原稿判定部８１は、サイズ判定の際に、第１閾値に換えて、記憶部９に記憶された第３閾値を参照する。第３閾値は、第１閾値よりも小さい。
【００５７】
外部から入射する光を用いる態様では、開閉部２２を３０度未満の角度で開いて、コンタクトガラス２１ａに原稿を載置する場合に、開閉部２２によって光量が低下する。したがって、原稿読取部２３の出力と第１閾値との比較では、原稿の無い箇所も暗部と判定され、原稿のサイズを誤検知するおそれがある。これに対して、第１閾値よりも小さい閾値（第３閾値）を参照して原稿のサイズ判定を行うことにより、開閉部２２が３０度未満の角度で開かれた場合に、原稿のサイズを判定できる。この結果、ユーザーの利便性を高めることができる。
【００５８】
また、例えば、本発明の実施形態では、原稿判定部８１は、開閉部２２の閉状態が検知される間に、人体の有状態が検知され、人体の無状態が検知されると、原稿のサイズ判定を行ったが、本発明はこれに限定されない。原稿のサイズ判定を行うことに換えて、例えば、通知制御部８２は、表示部７１を制御して、「原稿のサイズが判定できません」、又は「原稿のサイズを誤検知するおそれがあります」等のエラーメッセージを表示させる。
【００５９】
また、例えば、本発明の実施形態では、原稿検知部２３ｈによって、原稿の左右方向のサイズを示す信号を制御部８に出力していたが、本発明はこれに限定されない。原稿のサイズ判定を実行する際に、原稿読取部２３において、第１移動部２３ｃをコンタクトガラス２１ａの左側の端部から右側へと移動させて、受光部２３ｂによって原稿の左右方向のサイズを示す信号が出力される態様であってもよい。
【００６０】
なお、図面は、理解しやすくするために、それぞれの構成要素を主体に模式的に示しており、図示された各構成要素の厚み、長さ等は、図面作成の都合上から実際とは異なる。また、上記の実施形態で示す各構成要素の形状等は一例であって、特に限定されるものではなく、本発明の効果から実質的に逸脱しない範囲で種々の変更が可能である。
【産業上の利用可能性】
【００６１】
本発明は、画像読取装置、及び画像形成装置に関するものであり、原稿台に載置された原稿のサイズ判定に有用である。
【符号の説明】
【００６２】
１        画像形成装置
２        画像読取装置
３        画像形成部
２１      原稿台
２２      開閉部
２３      原稿検知部
２４      開閉検知部
２５      人体検知部
８１      原稿判定部
【図１】
2018014589.tif 000003
【図２】
2018014589.tif 000004
【図３】
2018014589.tif 000005
【図４】
2018014589.tif 000006
【図５】
2018014589.tif 000007
【図６】
2018014589.tif 000008
【図７】
2018014589.tif 000009